(57)【要約】【課題】楽曲の連続再生の際の娯楽性を向上する。【解決手段】再生処理部２０２の再生シーケンス処理部２０３は、再生対象曲に対応する各オーディオファイのタグを読み込み、タグ内の曲名情報が示す曲名に基づいて、再生される曲の曲名がしりとり順になるように、再生シーケンスを制御する。または、再生処理部２０２の再生シーケンス処理部２０３は、再生対象曲に対応する各オーディオファイのタグを読み込み、タグ内のアーティスト情報が示す曲名に基づいて、再生される曲のアーティスト名がしりとり順になるように、再生シーケンスを制御する。【選択図】図２
2004220710.tif 000002
【特許請求の範囲】
【請求項１】
楽曲データと当該楽曲に関する文字情報であるタグとを格納したオーディオファイルを読み込み、読み込んだオーディオファイルに格納された楽曲データが表す楽曲を再生するオーディオ再生装置であって、
再生対象として設定された複数のオーディオファイルの再生順を、前記複数のオーディオファイル中の第１のオーディオファイルのタグが表す文字情報と、前記複数のオーディオファイル中の前記第１のオーディオファイルの次に再生する第２のオーディオファイルのタグが表す文字情報と間で、所定の関係が満たされるように設定する再生シーケンス設定手段と、
前記再生シーケンス設定手段が設定した再生順で、前記再生対象として設定された複数のオーディオファイルを順次再生する再生手段とを有することを特徴とするオーディオ再生装置。
【請求項２】
楽曲データと当該楽曲の曲名を表すタグとを格納したオーディオファイルを読み込み、読み込んだオーディオファイルに格納された楽曲データが表す楽曲を再生するオーディオ再生装置であって、
再生対象として設定された複数のオーディオファイルの再生順を、前記複数のオーディオファイル中の第１のオーディオファイルのタグが表す曲名の末尾の文字もしくは末尾の発音と、前記複数のオーディオファイル中の前記第１のオーディオファイルの次に再生する第２のオーディオファイルのタグが表す曲名の先頭の文字もしくは先頭の発音が一致するように設定する再生シーケンス設定手段と、
前記再生シーケンス設定手段が設定した再生順で、前記再生対象として設定された複数のオーディオファイルを順次再生する再生手段とを有することを特徴とするオーディオ再生装置。
【請求項３】
楽曲データと当該楽曲のアーティスト名を表すタグとを格納したオーディオファイルを読み込み、読み込んだオーディオファイルに格納された楽曲データが表す楽曲を再生するオーディオ再生装置であって、
再生対象として設定された複数のオーディオファイルの再生順を、前記複数のオーディオファイル中の第１のオーディオファイルのタグが表すアーティスト名の末尾の文字もしくは末尾の発音と、前記複数のオーディオファイル中の前記第１のオーディオファイルの次に再生する第２のオーディオファイルのタグが表すアーティスト名の先頭の文字もしくは先頭の発音が一致するように設定する再生シーケンス設定手段と、
前記再生シーケンス設定手段が設定した再生順で、前記再生対象として設定された複数のオーディオファイルを順次再生する再生手段とを有することを特徴とするオーディオ再生装置。
【請求項４】
請求項２記載のオーディオ再生装置であって、
前記タグは、楽曲の曲名と共に楽曲のアーティスト名をも表し、
再生対象として設定された複数のオーディオファイルの再生する際に、再生中のオーディオファイルの次に再生するオーディオファイルのタグが表すアーティスト名を表示するヒント提示手段を有することを特徴とするオーディオ再生装置。
【請求項５】
請求項５記載のオーディオ再生装置であって、
前記タグは、楽曲のアーティスト名と共に楽曲の曲名をも表し、
再生対象として設定された複数のオーディオファイルの再生する際に、再生中のオーディオファイルの次に再生するオーディオファイルのタグが表す曲名を表示するヒント提示手段を有することを特徴とするオーディオ再生装置。
【請求項６】
楽曲データと当該楽曲に関する文字情報であるタグとを格納したオーディオファイルを読み込み、読み込んだオーディオファイルに格納された楽曲データが表す楽曲を再生するオーディオ再生方法であって、
再生対象として設定された複数のオーディオファイルの再生順を、前記複数のオーディオファイル中の第１のオーディオファイルのタグが表す文字情報と、前記複数のオーディオファイル中の前記第１のオーディオファイルの次に再生する第２のオーディオファイルのタグが表す文字情報との間で、所定の関係が満たされるように設定するステップと、
前記再生シーケンス設定手段が設定した再生順で、前記再生対象として設定された複数のオーディオファイルを順次再生するステップとを有することを特徴とするオーディオ再生方法。
【請求項７】
コンピュータによって読みとられ実行されるコンピュータプログラムであって、
当該コンピュータプログラムは、前記コンピュータを、
楽曲データと楽曲に関する文字情報であるタグとを格納したオーディオファイルを読み込み、読み込んだオーディオファイルに格納された楽曲データが表す楽曲を再生する再生手段と、
再生対象として設定された複数のオーディオファイルの再生順を、前記複数のオーディオファイル中の第１のオーディオファイルのタグが表す文字情報と、前記複数のオーディオファイル中の前記第１のオーディオファイルの次に再生する第２のオーディオファイルのタグが表す文字情報との間で、所定の関係が満たされるように設定し、設定した再生順で、前記再生対象として設定された複数のオーディオファイルを、前記再生手段に、順次再生させる再生シーケンス制御手段として機能させることを特徴とするコンピュータプログラム。
【発明の詳細な説明】
【０００１】
【発明の属する技術分野】
本発明は、複数の楽曲の再生順序を制御する技術に関するものである。
【０００２】
【従来の技術】
複数の楽曲の再生順序を制御する従来の技術としては、記録した楽曲をその記録順に再生する技術や、ユーザから設定された再生プログラムに従った順序で再生する技術や、複数の楽曲のうちから、順次再生する楽曲をランダムに選択して再生する技術が知られている（たとえば、特開２００１−１７６２５２号公報）
この出願の発明に関連する先行技術文献情報としては以下のものがある。
【０００３】
【特許文献１】
特開２００１−１７６２５２号公報
【０００４】
【発明が解決しようとする課題】
前記従来の技術によれば、楽曲の再生順序が予め定めた順序かランダムな順序によって再生されるのみであり、その再生順序自体には何のエンターテーメント性も無く、おもしろみにかける。
そこで、本発明は、ユーザが楽曲の再生順序に対して娯楽を享受できるように、楽曲の再生順序を制御することを課題とする。
【０００５】
【課題を解決するための手段】
前記課題達成のために、本発明は、楽曲データと当該楽曲に関する文字情報であるタグを格納したオーディオファイルを読み込み、読み込んだオーディオファイルに格納された楽曲データが表す楽曲を再生するオーディオ再生装置に、再生対象として設定された複数のオーディオファイルの再生順を、前記複数のオーディオファイル中の第１のオーディオファイルのタグが表す文字情報と、前記複数のオーディオファイル中の前記第１のオーディオファイルの次に再生する第２のオーディオファイルのタグが表す文字情報と間で、所定の関係が満たされるように設定する再生シーケンス設定手段と、前記再生シーケンス設定手段が設定した再生順で、前記再生対象として設定された複数のオーディオファイルを順次再生する再生手段とを備えたものである。
【０００６】
このようなオーディオ再生装置によれば、楽曲Ａの次に再生する楽曲Ｂを、タグが表す文字情報間に従って求めた、楽曲Ａと一定の関係を有する他の楽曲の内から選択するので、ユーザは、単純に楽曲を楽しむだけでなく、再生中の楽曲から次に再生されるであろう楽曲を前記文字情報間の所定の関係より推測して当てる推測ゲームを楽しむことのができるようになる。
【０００７】
より具体的には、前記課題達成のために、本発明は、楽曲データと当該楽曲の曲名を表すタグとを格納したオーディオファイルを読み込み、読み込んだオーディオファイルに格納された楽曲データが表す楽曲を再生するオーディオ再生装置に、再生対象として設定された複数のオーディオファイルの再生順を、前記複数のオーディオファイル中の第１のオーディオファイルのタグが表す曲名の末尾の文字もしくは末尾の発音と、前記複数のオーディオファイル中の前記第１のオーディオファイルの次に再生する第２のオーディオファイルのタグが表す曲名の先頭の文字もしくは先頭の発音が一致するように設定する再生シーケンス設定手段と、前記再生シーケンス設定手段が設定した再生順で、前記再生対象として設定された複数のオーディオファイルを順次再生する再生手段とを備えたものである。
【０００８】
このようなオーディオ再生装置によれば、曲名のしりとり順に、楽曲を再生することができるので、ユーザは、単純に楽曲を楽しむだけでなく、再生中の楽曲から次に再生されるであろう楽曲を曲名のしりとりルールに従って推測して当てる推測ゲームを楽しむことのができるようになる。なお、このようなオーディオ再生装置においては、前記タグが、楽曲の曲名と共に楽曲のアーティスト名をも表すものである場合には、再生対象として設定された複数のオーディオファイルの再生する際に、再生中のオーディオファイルの次に再生するオーディオファイルのタグが表すアーティスト名を、次に再生する楽曲のヒントとして表示するようにしても良い。
【０００９】
また、本発明は、楽曲データと当該楽曲のアーティスト名を表すタグとを格納したオーディオファイルを読み込み、読み込んだオーディオファイルに格納された楽曲データが表す楽曲を再生するオーディオ再生装置に、再生対象として設定された複数のオーディオファイルの再生順を、前記複数のオーディオファイル中の第１のオーディオファイルのタグが表すアーティスト名の末尾の文字もしくは末尾の発音と、前記複数のオーディオファイル中の前記第１のオーディオファイルの次に再生する第２のオーディオファイルのタグが表すアーティスト名の先頭の文字もしくは先頭の発音が一致するように設定する再生シーケンス設定手段と、前記再生シーケンス設定手段が設定した再生順で、前記再生対象として設定された複数のオーディオファイルを順次再生する再生手段とを備えたものである。
【００１０】
このようなオーディオ再生装置によれば、アーティスト名のしりとり順に、楽曲を再生することができるので、ユーザは、単純に楽曲を楽しむだけでなく、再生中の楽曲から次に再生されるであろう楽曲をアーティスト名のしりとりルールに従って推測して当てる推測ゲームを楽しむことのができるようになる。ここで、このようなオーディオ再生装置においては、前記タグが、楽曲のアーティスト名と共に楽曲の曲名をも表すものである場合には、再生対象として設定された複数のオーディオファイルの再生する際に、再生中のオーディオファイルの次に再生するオーディオファイルのタグが表す曲名を、次に再生する楽曲のヒントとして表示するようにしても良い。
【００１１】
【発明の実施の形態】
以下、本発明の実施形態について車載のオーディオシステムへの適用を例にとり説明する。
図１に、本実施形態に係るオーディオシステムの構成を示す。
図示するように、本実施形態に係るオーディオシステムは、オーディオ処理装置１、表示装置２、入力装置３、スピーカやオーディオアンプ装置などのオーディオ出力装置４、ＨＤＤ５、ＭＤ等の可搬型記憶媒体６１用のドライブ装置である可搬型記憶媒体ドライブ６とを有している。
【００１２】
そして、オーディオ処理装置１は、ＣＰＵ１１、メモリ１２、表示装置２に接続する表示インタフェース１３、オーディオ出力装置４に接続するオーディオ出力インタフェース１４、ＨＤＤ５に接続するＨＤＤインタフェース１５、可搬型記憶媒体ドライブ６に接続する記憶媒体ドライブインタフェース１６、入力装置３に接続する入力インタフェース１７と、以上の各部を接続するバス２１とを備えている。ここで、表示インタフェース１３、オーディオ出力インタフェース１４、ＨＤＤインタフェース１５、記憶媒体ドライブインタフェース１６、入力インタフェース１７は、各々接続する装置と、オーディオ処理装置１との間との入出力を処理するものである。
【００１３】
次に、このようなオーディオ処理装置１の機能構成を図２に示す。
図示するように、オーディオ処理装置１は、機能的には、オペレーティングシステム２０１、再生処理部２０２とを有する。また、再生処理部２０２は、再生シーケンス処理部２０３、読出処理部２０４、デコーダ２０５とを有している。このような構成において、ＨＤＤ５には複数のディレクトリであるフォルダ２１０が設けられており、オーディオファイル２１２がフォルダ２１０に格納された形態でＨＤＤ５に記録されている。また、プレイリスト２１１がフォルダ２１０に格納された形態でＨＤＤ５に記録されている。なお、通常、フォルダ２１０は階層的に配置される。また、可搬型記憶媒体６１にもオーディオファイル２１２が、フォルダ２１０に格納された形態または格納されていない形態で記録されている。
【００１４】
ここで、オーディオファイル２１２は、楽曲のオーディオデータを格納したファイルであり、オーディオファイル２１２中にはオーディオデータと共に、楽曲のアーティスト名や楽曲名や楽曲のジャンルや楽曲の属するアルバム名などのデータを示す文字情報であるタグが格納されている。なお、このようなタグとしては、ＭＰ３（ＭＰＥＧ−１  ＡＵＤＩＯ  ＬＡＹＥＲ−３）フォーマットのオーディオファイル２１２で利用されている、ＩＤ３タグなどが知られている。図３ａは、このようなＩＤ３タグの、バージョン１．１のフォーマットを示すものであり、このバージョンでは、ＭＰ３に従って圧縮符号化されたオーディオデータの後にタグが配置され、タグには、文字列「ＴＡＧ」：（３バイト）、曲名：（３０バイト）、アーティスト名：（３０バイト）、アルバム名：（３０バイト）、製作年度：（４バイト）、コメント：（２８バイト）、曲・トラック番号：（２バイト）、音楽ジャンル：（１バイト）が記述される。
【００１５】
次に、図３ｂに、ＨＤＤ５に記憶されるプレイリスト２１１について説明する。
プレイリスト２１１は、ユーザが定義した楽曲のリストであり、図示するように、各楽曲に対応するエントリを有する。そして、各エントリには、対応するオーディオファイル２１２のファイル名と、対応するオーディオファイル２１２が記憶されているローケーションと、対応する楽曲の再生時間が登録されている。
【００１６】
さて、このような構成において、オペレーティングシステム２０１は、再生処理部２０２のＨＤＤ５に格納されたプレイリスト２１１や、ＨＤＤ５または可搬型記憶媒体６１に格納されたオーディオファイル２１２に対するアクセスを制御する。また、オペレーティングシステム２０１は、再生処理部２０２の、表示装置２や入力装置３やオーディオ出力装置４との間の入出力を制御する。
【００１７】
次に、再生制御部の読出処理部２０４は、各楽曲のオーディオファイル２１２をＨＤＤ５または可搬型記憶媒体６１から読み出してオーディオファイル２１２中のオーディオデータをデコーダ２０５に提供する。デコーダ２０５は提供されたオーディオデータに必要なデコード処理を施して、オーディオ出力装置４に出力することにより楽曲を再生する。再生シーケンス処理部２０３は、このようにな読出処理部２０４とデコーダ２０５による楽曲の再生のシーケンスを制御する。
【００１８】
より具体的には、再生シーケンス処理部２０３は、まず、ユーザよりプレイリスト２１１か、可搬型記憶媒体６１の指定を受付け、プレイリスト２１１が指定された場合にはプレイリスト２１１に登録されている楽曲を再生対象とする楽曲である再生対象曲とする。また、可搬型記憶媒体６１が指定された場合には、可搬型記憶媒体６１に記憶されている全ての楽曲を可搬型記憶媒体６１上の記憶順または対応するオーディオファイル２１２のファイル名順に登録したプレイリスト２１１を作成し、作成したプレイリスト２１１に登録されている楽曲を再生対処曲とする。
【００１９】
そして、ユーザより登録順再生かランダム再生かしりとり再生のいずれかの指定を受付け、登録順再生が指定された場合には、再生対象曲をプレイリスト２１１の登録順に再生する制御を行う。また、ランダム再生が指定された場合には、再生対象曲をランダムな順序に再生する制御を行う。そして、しりとり再生が指定された場合には、曲名しりとりモードかアーティスト名しりとりモードかの設定と、ヒント有り／無しのモードの設定を受付けた上で、以下に示すしりとり再生処理によって実現される再生シーケンスによって、再生対象楽曲の再生の制御を行う。
【００２０】
図４に、その手順を示すように、しりとり再生処理では、まず、全ての再生対象曲のタグを全て読み込む（ステップ４００）。そして、読み出したタグの情報を含めたテンポラリプレイリストを作成する（ステップ４０２）。
ここで、図３ｃにテンポラリプレイリストの内容を示す。図示するようにテンポラリプレイリストは、再生対象曲の各々毎に設けたエントリを有する。そして、各エントリには、対応するオーディオファイル２１２のファイル名と、対応するオーディオファイル２１２が記憶されているローケーションと、対応する楽曲の再生時間と、対応するオーディオファイル２１２のタグから読み込んだ曲名情報と、対応するオーディオファイル２１２のタグから読み込んだアーティスト情報と、対応するオーディオファイル２１２のタグから読み込んだジャンル情報と、再生済の有無を示す再生済フラグとを登録する。なお、テンポラリプレイリストの作成時には、全てのエントリの再生済フラグは未再生に設定する。
【００２１】
次に、現在の設定が曲名しりとりモードであるかどうかを調べ（ステップ４０６）、曲名しりとりモードであれば、曲名情報をキー情報に設定しアーティスト情報をヒント情報に設定し（ステップ４３２）、曲名しりとりモードで無い場合、すなわち、アーティストしりとりモードである場合には、アーティスト情報をキー情報に設定し曲名情報をヒント情報に設定する（ステップ４０６）。
【００２２】
そして、再生対象曲の内から、未再生の楽曲、すなわち、再生済フラグに未再生が登録されている楽曲を一つの楽曲をランダムに再生曲として選択し（ステップ４０８）、再生曲の再生を開始を制御する（ステップ４１０）。そして、テンポラリプレイリストの再生を開始した楽曲のエントリの再生済フラグに再生済を登録する（ステップ４１２）。
【００２３】
次に、テンポラリプレイリストの再生済フラグを参照して、テンポラリプレイリスト中に未再生の楽曲、すなわち、再生済フラグに未再生が登録されている楽曲が存在するかどうかを調べ（ステップ４１４）、存在しなければ再生曲の再生終了を待って（ステップ４３４）、処理を終了する。
【００２４】
一方、テンポラリプレイリスト中に未再生の楽曲が存在した場合には、再生曲のキー情報の発音の最終音を、キー情報の発音の先頭音として持つ、未再生の再生対象曲を検索する（ステップ４１６）。すなわち、たとえば、キー情報が曲名情報である場合に、再生曲の曲名情報が「今日は」であれば、再生曲の曲名情報の最後の発音の音「は」を、キー情報の先頭の発音とする（たとえば、「はじめまして」など）曲名情報を持つ楽曲を全て、テンポラリプレイリストの再生済フラグに未再生が登録されている楽曲の内から検索する。また、たとえば、キー情報がアーティスト情報である場合に、再生曲のアーティスト情報が「小泉  一郎」であれば、再生曲のアーティスト情報の発音の最後の音「う」を、キー情報の先頭の発音の音とする（たとえば、「うただ  ひかり」など）アーティスト情報を持つ楽曲を全て、テンポラリプレイリストの再生済フラグに未再生が登録されている楽曲の内から検索する。なお、再生シーケンス処理部２０３には、曲名情報やアーティスト情報が漢字である場合にも、その最後、最初の発音の音を認識できるように、予め漢字かな変換辞書か、リリース（発売、発表等）された各楽曲についての曲名情報やアーティスト情報の発音を登録した楽曲データベースを備えておくようにする。
【００２５】
そして、そのような楽曲を少なくとも一つ検索できたかどうかを調べ（ステップ４１８）、検索できなかった場合には、しりとりゲームのラウンド終了を、表示装置２を介してユーザに通知し（ステップ４３６）、ステップ４０８に戻ることにより、しりとりゲームの次のラウンドを開始する。
【００２６】
一方、ステップ４１８で検索が成功したと判定できた場合には、検索した楽曲のうちに、再生曲と異なるアーティスト情報を持つ楽曲が含まれるかどうかを調べ（ステップ４２０）、含まれない場合には検索した楽曲の内からランダムに一つの楽曲を次再生曲として選択する（ステップ４３８）。一方、再生曲と異なるアーティスト情報を持つ楽曲が含まれる場合には同じアーティストの楽曲をできるだけ連続して再生しないように検索した楽曲の内の再生曲と異なるアーティスト情報を持つ楽曲の内の一つの楽曲を次再生曲として選択する（ステップ４２２）。この結果、キー情報として曲名情報が設定されている場合には、曲名のしりとり順による次再生曲の選択が行われ、キー情報としてアーティスト情報が設定されている場合には、アーティスト名のしりとり順による次再生曲の選択が行われることになる。
【００２７】
そして、現在ヒント有りモードが設定されているかどうかを調べ（ステップ４２４）、設定されていない場合には、再生曲の再生終了を待って（ステップ４２８）、選択した次再生曲を新たな再生曲に設定し（ステップ４３０）、ステップ４１０に進んで、新たな再生曲の再生からの処理を行う。
【００２８】
一方、ヒント有りモードが設定されている場合には、選択した次再生曲のヒント情報と、ステップ４１６で検索されなかった楽曲の内の、ステップ４１６で検索された各楽曲のキー情報のいずれとも異なるキー情報を持つ楽曲の内からランダムに選択した一つの楽曲のヒント情報を、ランダムな順序で並べて次再生曲ヒントとして表示装置２に表示する。すなわち、キー情報が曲名情報である場合には、次再生曲のアーティスト情報と、次再生曲と曲名情報の先頭の発音が同じ楽曲に登録されていない他の楽曲のアーティスト情報とを表示する。すなわち、この場合、次再生曲ヒントの内の一つのアーティスト情報は次再生曲のアーティストを表しており、次再生曲ヒントの内の一つのアーティスト情報は曲名しりとりの次楽曲として不正解となる楽曲のアーティストを表している。同様に、キー情報がアーティスト情報である場合には、次再生曲の曲名情報と、アーティスト情報の先頭の発音が次再生曲と同じ楽曲に登録されていない、他の楽曲の曲名情報を表示する。すなわち、この場合、次再生曲ヒントの内の一つの曲名情報は次再生曲の曲名を表しており、次再生曲ヒントの内の一つの曲名情報はアーティスト名しりとりの次楽曲として不正解となる楽曲の曲名を表している。ただし、ここでは、通常のしりとりのルールに倣い、再生済の楽曲は、しりとりの次楽曲として不正解の楽曲としている。
【００２９】
そして、次再生曲ヒントを表示したならば、再生曲の再生終了を待って（ステップ４２８）、選択した次再生曲を新たな再生曲に設定し（ステップ４３０）、ステップ４１０に進んで、新たな再生曲の再生からの処理を行う。
以上、本発明の実施形態について説明した。
以上のように、本実施形態によれば、曲名やアーティスト名のしりとり順に、楽曲を再生することができるので、ユーザは、単純に楽曲を楽しむだけでなく、再生中の楽曲から次に再生されるであろう楽曲をしりとりルールに従って推測して当てる推測ゲームを楽しむことのができるようになる。
【００３０】
なお、以上の実施形態では、曲名情報やアーティスト情報が日本語で記述されている場合を例にとり説明したが、曲名情報やアーティスト情報が英語など、他国の言語で記述されている場合にも本実施形態は同様に適用することができる。たとえば、英語で記述される場合には、楽曲Ａの曲名情報やアーティスト情報の最後の文字と同じ文字を曲名情報やアーティスト情報の先頭に持つ楽曲Ｂを、楽曲Ａの次に再生する楽曲とするようにすれば良い。また、本実施形態は、たとえば、楽曲Ａの曲名情報やアーティスト情報の先頭の発音や文字と同じ発音や文字を曲名情報やアーティスト情報の最後に持つ楽曲Ｂを、楽曲Ａの次に再生する楽曲とすることにより逆しりとり順の楽曲再生を行うなどしてもよい。すなわち、本実施形態は、ある楽曲Ａに対して次に再生する楽曲Ｂを選択するために用いる、楽曲Ａの曲名情報やアーティスト情報と楽曲Ｂの曲名情報やアーティスト情報との間で満たされるべき条件として、以上の実施形態で示した条件（しりとりのルールに従った条件）とは異なる適用した再生を行うように修正して実施するようにしても良い。また、アーティスト情報や曲名情報以外の文字情報を、アーティスト情報や曲名情報に代えて、再生順の決定に用いる文字情報として適用して、本実施形態を実施するようにしてもよい。
【００３１】
【発明の効果】
以上のように、本発明によれば、ユーザが楽曲の再生順序に対して娯楽を享受できるように、楽曲の再生順序を制御することができる。
【図面の簡単な説明】
【図１】本発明の実施形態に係るオーディオシステムの構成を示すブロック図である。
【図２】本発明の実施形態に係るオーディオ処理装置の機能構成を示すブロック図である。
【図３】ＩＤ３タグのフォーマットと本発明の実施形態において用いるプレイリストとテンポラリプレイリストの内容を示す図である。
【図４】本発明の実施形態に係るしりとり再生処理の手順を示すフローチャートである。
【符号の説明】
１：オーディオ処理装置、２：表示装置、３：入力装置、４：オーディオ出力装置、５：ＨＤＤ、６：可搬型記憶媒体ドライブ、１１：ＣＰＵ、１２：メモリ、１３：表示インタフェース、１４：オーディオ出力インタフェース、１５：ＨＤＤインタフェース、１６：記憶媒体ドライブインタフェース、１７：入力インタフェース、６１：可搬型記憶媒体、２０１：オペレーティングシステム、２０２：再生処理部、２０３：再生シーケンス処理部、２０４：読出処理部、２０５：デコーダ、２１０：フォルダ、２１１：プレイリスト、２１２：オーディオファイル。
【図１】
2004220710.tif 000003
【図２】
2004220710.tif 000004
【図３】
2004220710.tif 000005
【図４】
2004220710.tif 000006